(57)【要約】【課題】長時間の連続的な使用からの保護を全ての電気機器に同条件で一律に適用するものと比較して柔軟な通電制御が可能な電源装置を提供する。【解決手段】インバータ機器３の接続時、電源回路３０１からの定電圧ＶccがＶ端子経由で電池アダプタ２のマイコン２０２に入力される。マイコン２０２はＶ端子の電圧を検出し、負荷電流の積算値関連情報に基づく通電制御を無効とする。電動工具４の接続時、電動工具４にはＶ端子を備えていないので、電池アダプタ２のマイコン２０２ではＶ端子の電圧を検出せず、積算値関連情報に基づく通電制御を実行する。マイコン２０２は、電流積算量Ｃが所定値Ｃ1を越したかどうかを判別し、越した場合には出力ＦＥＴ２０６をオフする。【選択図】図１
2014023271.tif 000002
【特許請求の範囲】
【請求項１】
電池電圧を利用して電気機器に通電する電源装置であって、前記電気機器の使用状態に関連する情報を取得する手段を備え、前記情報に基づく通電制御を実行するか否かを切替え可能である、電源装置。
【請求項２】
電池電圧を利用して電気機器に通電する電源装置であって、負荷電流の積算値に関連する情報を取得する手段を備え、前記情報に基づく通電制御を実行するか否かを切替え可能である、電源装置。
【請求項３】
電池電圧を利用して電気機器に通電する電源装置であって、負荷電流の積算値に関連する情報を取得する手段を備え、直流入力の電気機器に通電するときは前記情報に基づく通電制御を実行し、交流入力の電気機器に通電するときは前記情報に基づく通電制御を実行しない、電源装置。
【請求項４】
前記情報に基づく通電制御は、前記情報が所定の条件を満たしたときに電気機器への通電を停止する又は外部に報知するものである、請求項１から３のいずれか一項に記載の電源装置。
【請求項５】
接続された電気機器の種別に応じて前記所定の条件を少なくとも２通りの間で切り替える請求項４に記載の電源装置。
【請求項６】
重負荷用の電動工具を接続したときは前記所定の条件を緩い条件とし、軽負荷用の電動工具を接続したときは前記所定の条件を厳しい条件とする、請求項４又は５に記載の電源装置。
【請求項７】
電池電圧を利用して電気機器に通電する電源装置であって、負荷電流の積算値に関連する情報を取得する手段を備え、前記情報が所定の条件を満たしたときに電気機器への通電を停止する通電制御を実行可能であり、前記所定の条件を厳しさが異なる少なくとも２通りの間で切替え可能である、電源装置。
【請求項８】
接続された電気機器の種別を判別する手段を備え、前記情報に基づく通電制御を実行するか否かを前記種別に応じて自動的に切り替える、請求項１から７のいずれか一項に記載の電源装置。
【請求項９】
前記情報に基づく通電制御を実行するか否かを手動で切り替えるスイッチを備える、請求項１から７のいずれか一項に記載の電源装置。
【請求項１０】
前記情報は負荷電流の積算値を含み、負荷電流が所定値以上のときは前記積算値を増加させ、負荷電流が前記所定値未満であるときは前記積算値を減少させる、請求項１から９のいずれか一項に記載の電源装置。
【請求項１１】
前記情報は、負荷電流の経路上に設けられた抵抗の温度情報を含む、請求項１から１０のいずれか一項に記載の電源装置。
【請求項１２】
前記電池はリチウムイオン二次電池組であって平均１０Ａ以上の出力が可能な１８６５０サイズのセルを用いている請求項１から１１のいずれか一項に記載の電源装置。
【請求項１３】
前記電池は定格電圧が１４.４Ｖ以上４２Ｖ以下のリチウムイオン二次電池組である請求項１から１２のいずれか一項に記載の電源装置。
【請求項１４】
前記電池は定格容量が１０００Ｗｈ以上である請求項１から１３のいずれか一項に記載の電源装置。
【請求項１５】
前記電池は重量が５ｋｇ以上２５ｋｇ以下である請求項１から１４のいずれか一項に記載の電源装置。
【発明の詳細な説明】
【技術分野】
【０００１】
本発明は、電池電圧を利用して電気機器に通電する電源装置に関する。
【背景技術】
【０００２】
コードレス電動工具は、手持ち作業を考慮した重量からくる制限された電池容量により使用時間が制限されることから、連続使用時間は比較的短時間を想定している。このため、下記特許文献１は、商用電源からの電圧で動作する直流電源装置によりコードレス電動工具に通電する場合に、電動工具に供給される電気量の累計値が所定値以上となった時に警告する技術を開示する。また、下記特許文献２は、コードレス電動工具に直流電源装置から通電する場合に、平均電流値が所定値を超えた状態が所定時間以上継続した時に電源供給を停止することでＦＥＴ等の半導体素子を保護する技術を開示する。
【０００３】
一方、蓄電池を電源とする直流出力の電源装置からインバータ機器を介して交流入力の電気機器に通電し動作させることも行われている。交流入力の電気機器は、例えば商用電源に接続して長時間連続使用されることを想定しているため、コードレス電動工具とは異なり連続使用が可能な定格時間が長い。したがって、交流入力の電気機器を使用する場合には、電源装置の蓄電池の容量（例えば電池パック１０個分）が残っている限り長時間連続使用できることが望ましい。
【先行技術文献】
【特許文献】
【０００４】
【特許文献１】特開平１１−１０１８３６号公報
【特許文献２】特開２００２−３１５３２１号公報
【発明の概要】
【発明が解決しようとする課題】
【０００５】
大容量電池を用いた電源装置によりコードレス電動工具などの直流入力の電気機器に通電する場合には、電池容量が大きいことにより想定を超える長時間の連続的な使用が可能となるため、一定以上の連続使用を制限する上述のような技術が必要となる。しかし、こうした技術を適用した電源装置によりインバータを駆動すると（すなわち交流入力の電気機器に通電すると）、連続使用が可能な定格時間が長い交流入力の電気機器を使用しているにも関わらず直流入力の電気機器を使用する場合と同じ条件で一定以上の連続使用に制限がかかり、交流入力の電気機器の連続使用を不要に妨げるという課題があった。
【０００６】
本発明はこうした状況を認識してなされたものであり、その目的は、長時間の連続的な使用からの保護を全ての電気機器に同条件で一律に適用するものと比較して柔軟な通電制御が可能な電源装置を提供することにある。
【課題を解決するための手段】
【０００７】
本発明のある態様は、電源装置である。この電源装置は、電池電圧を利用して電気機器に通電する電源装置であって、前記電気機器の使用状態に関連する情報を取得する手段を備え、前記情報に基づく通電制御を実行するか否かを切替え可能である。
【０００８】
本発明のもう１つの態様は、電源装置である。この電源装置は、電池電圧を利用して電気機器に通電する電源装置であって、負荷電流の積算値に関連する情報を取得する手段を備え、前記情報に基づく通電制御を実行するか否かを切替え可能である。
【０００９】
本発明のもう１つの態様は、電源装置である。この電源装置は、電池電圧を利用して電気機器に通電する電源装置であって、負荷電流の積算値に関連する情報を取得する手段を備え、直流入力の電気機器に通電するときは前記情報に基づく通電制御を実行し、交流入力の電気機器に通電するときは前記情報に基づく通電制御を実行しない。
【００１０】
前記情報に基づく通電制御は、前記情報が所定の条件を満たしたときに電気機器への通電を停止する又は外部に報知するものであってもよい。
【００１１】
接続された電気機器の種別に応じて前記所定の条件を少なくとも２通りの間で切り替えてもよい。
【００１２】
重負荷用の電動工具を接続したときは前記所定の条件を緩い条件とし、軽負荷用の電動工具を接続したときは前記所定の条件を厳しい条件としてもよい。
【００１３】
本発明のもう１つの態様は、電源装置である。この電源装置は、電池電圧を利用して電気機器に通電する電源装置であって、負荷電流の積算値に関連する情報を取得する手段を備え、前記情報が所定の条件を満たしたときに電気機器への通電を停止する通電制御を実行可能であり、前記所定の条件を厳しさが異なる少なくとも２通りの間で切替え可能である。
【００１４】
接続された電気機器の種別を判別する手段を備え、前記情報に基づく通電制御を実行するか否かを前記種別に応じて自動的に切り替えてもよい。
【００１５】
前記情報に基づく通電制御を実行するか否かを手動で切り替えるスイッチを備えてもよい。
【００１６】
前記情報は負荷電流の積算値を含み、負荷電流が所定値以上のときは前記積算値を増加させ、負荷電流が前記所定値未満であるときは前記積算値を減少させてもよい。
【００１７】
前記情報は負荷電流の経路上に設けられた抵抗の温度情報を含んでもよい。
【００１８】
前記電池はリチウムイオン二次電池組であって平均１０Ａ以上の出力が可能な１８６５０サイズのセルを用いてもよい。
【００１９】
前記電池は定格電圧が１４.４Ｖ以上４２Ｖ以下のリチウムイオン二次電池組であってもよい。
【００２０】
前記電池は定格容量が１０００Ｗｈ以上であってもよい。
【００２１】
前記電池は重量が５ｋｇ以上２５ｋｇ以下であってもよい。
【００２２】
なお、以上の構成要素の任意の組合せ、本発明の表現を方法やシステムなどの間で変換したものもまた、本発明の態様として有効である。
【発明の効果】
【００２３】
本発明によれば、長時間の連続的な使用からの保護を全ての電気機器に同条件で一律に適用するものと比較して柔軟な通電制御が可能な電源装置を実現可能である。
【図面の簡単な説明】
【００２４】
【図１】本発明の実施の形態１に係る電源装置にインバータ機器３を接続したブロック図。
【図２】実施の形態１に係る電源装置に電動工具４を接続したブロック図。
【図３】実施の形態１に係る電源装置の動作を示すフローチャート。
【図４】本発明の実施の形態２に係る電源装置に電動工具４を接続したブロック図。
【図５】実施の形態２に係る電源装置の動作を示すフローチャート。
【図６】本発明の実施の形態３に係る電源装置に電動工具４を接続したブロック図。
【図７】本発明の実施の形態４に係る電源装置に電動工具４を接続したブロック図。
【図８】その他の実施の形態に係る電源装置の動作を示すフローチャート。
【発明を実施するための形態】
【００２５】
以下、図面を参照しながら本発明の好適な実施の形態を詳述する。なお、各図面に示される同一または同等の構成要素、部材、処理等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００２６】
図１は、本発明の実施の形態１に係る電源装置にインバータ機器３を接続したブロック図である。電源装置（例えばポータブル電源）は、バッテリユニット１と、電池アダプタ２とを備える。バッテリユニット１は、例えば、一つ以上のリチウム電池セル１０１を含むリチウム電池組であり、電気機器を駆動する動力源（電力供給源）となるものである。図示の例では電池セル１０１は５個直列に接続され、この直列接続が５列並列に接続されている。直列接続数と並列接続数は、必要な電圧や容量によって適宜設定されるが４個直列から１０個直列が望ましい。
【００２７】
バッテリユニット１の正負出力端子は電池アダプタ２に接続されている。電池アダプタ２には電源回路２０１が設けられ、電源回路２０１はバッテリユニット１からの電圧を所定の定電圧Ｖcc（例えば５Ｖ）に変換してマイコン２０２に動作電圧として供給する。マイナス線には電流検出抵抗２０３が挿入されており、電流検出抵抗２０３の両端電圧を増幅する増幅器２０４の出力がマイコン２０２に出力される。これにより、マイコン２０２はバッテリユニット１の充放電電流を検出できる。マイナス線にはさらに、バッテリユニット１の充電を制御する入力制御ＦＥＴ２０５と、放電を制御する出力制御ＦＥＴ（出力ＦＥＴ）２０６が設けられる。ＦＥＴ２０５,２０６はマイコン２０２によってオンオフ制御される。さらには、バッテリユニット１の電圧を検出する電圧検出回路２０７の出力もマイコン２０２に入力されており、電池電圧を検出可能となっている。電池アダプタ２には、電池電圧を出力する＋,−端子と、放電制御信号を出力するＬＤ端子と、機器識別用のＶ端子とが設けられている。
【００２８】
インバータ機器３は、電池アダプタ２に着脱可能となっていて、電池電圧を入力する＋,−端子と、放電制御信号を受信するＬＤ端子と、機器識別用のＶ端子とが設けられている。そして、＋端子には電源回路３０１が接続されており、電源回路３０１はバッテリユニット１からの電圧を所定の定電圧Ｖcc（例えば５Ｖ）に変換して制御回路３０２に動作電圧として供給する。電源回路３０１の出力する定電圧ＶccはＶ端子にも出力される。制御回路３０２にはＬＤ端子経由で電池アダプタ２からの放電制御信号も入力される。そして、インバータ機器３には、制御回路３０２で制御される昇圧回路３０３及びインバータ回路３０４が設けられている。昇圧回路３０３はバッテリユニット１からの電圧を昇圧し、昇圧回路３０３の出力電圧（直流）をインバータ回路３０４が交流に変換する。インバータ回路３０４の出力電圧は例えばＡＣ１００Ｖであり、交流入力の電気機器を駆動するのに使用できる。
【００２９】
図２は、実施の形態１に係る電源装置に電動工具４を接続したブロック図である。バッテリユニット１と電池アダプタ２の説明は前述のとおりなので省略する。電動工具４は、コードレス電動工具であり、直流入力の電気機器の例示である。電動工具４は、不図示のケーブル等や直接的に電池アダプタ２に着脱可能となっていて、電池電圧を入力する＋,−端子と、放電制御信号を受信するＬＤ端子とが設けられている。＋端子には使用者が操作するトリガスイッチ４０４を介してモータ４０１の一端と制御回路４０２が接続されており、モータ４０１の他端はＦＥＴ４０３を介して−端子に接続されている。ＦＥＴ４０３は制御回路４０２によりオンオフ制御される。制御回路４０２にはＬＤ端子経由で電池アダプタ２からの放電制御信号が入力される。使用者は、トリガスイッチ４０４を操作することで制御回路４０２を起動し、制御回路４０２の働きによりＦＥＴ４０３をオンすることによりモータ４０１を駆動させることができる。なお、電動工具４はＶ端子を有さない。
【００３０】
図３は、実施の形態１に係る電源装置の動作を示すフローチャートである。
【００３１】
始めに、インバータ機器３が電源装置に接続されている場合を説明する。まず、電池アダプタ２の電源回路２０１によりマイコン２０２が起動すると、初期設定の後、マイコン２０２は出力ＦＥＴ２０６をオンしてバッテリユニット１の電圧を出力する（Ｓ１０１）。すると、インバータ機器３の電源回路３０１が起動され、制御回路３０２が起動するとともに、電源回路３０１からの定電圧ＶccがＶ端子経由で電池アダプタ２のマイコン２０２に入力される。マイコン２０２はＶ端子の電圧を検出し（Ｓ１０２のＮｏ）、負荷電流の積算値関連情報に基づく通電制御を無効とする（Ｓ１０３）。一方、インバータ機器３は、所定の交流電圧を出力して不図示の交流入力の電気機器を動作させる。電源装置からインバータ機器３を経由して電気機器に供給された電流（負荷電流）は、電流検出抵抗２０３で電圧に変換され、さらに増幅器２０４で増幅されてマイコン２０２に入力される。但し、積算値関連情報に基づく通電制御は無効なので、マイコン２０２は負荷電流の積算値の演算は行わず、バッテリユニット１の容量が無くなるまで電源装置は出力を続ける（交流入力の電気機器に通電を継続する）。なお、過放電保護、過電流保護や温度保護等の通常の保護機能は必要に応じて適宜実行される。
【００３２】
次に、電動工具４が電源装置に接続されている場合を説明する。まず、電池アダプタ２の電源回路２０１によりマイコン２０２が起動すると、初期設定の後、マイコン２０２は出力ＦＥＴ２０６をオンしてバッテリユニット１の電圧を出力する（Ｓ１０１）。すると、電動工具４にはＶ端子を備えていないので、電池アダプタ２のマイコン２０２ではＶ端子の電圧を検出せず（Ｓ１０２のＹｅｓ）、後述のように積算値関連情報に基づく通電制御を実行する。
【００３３】
使用者が電動工具４のトリガスイッチ４０４をオンすると、前述のとおりバッテリユニット１から電流が流れモータ４０１が駆動される。すると、この電流を電流検出抵抗２０３で電圧へ変換しさらに増幅器２０４で増幅した信号がマイコン２０２に入力されるので、マイコン２０２は当該信号により負荷電流ｉを検出する（Ｓ１０４）。次に検出した負荷電流ｉが所定値Ｉ0より大きいかどうかを判別する（Ｓ１０５）。負荷電流ｉが所定値Ｉ0より大きいときには（Ｓ１０５のＹｅｓ）、積算値関連情報の例示である電流積算値Ｃの現在値に所定値（例えば｜ｉ−Ｉ0｜×Δｔ）を加算する（Ｓ１０６）。なお、電流積算値Ｃは負荷電流ｉを積分したものなので、例えば一定時間ごとに負荷電流を検出するのであれば、時間を無視して（ｉ−Ｉ0）を足すことで算出してもよい。一方、電流検出が一定時間ごとでない場合には、演算するときに検出時間間隔Δｔの重みを加味すればよい。
【００３４】
マイコン２０２は、電流積算量Ｃが所定値Ｃ1（通電停止閾値）を越したかどうかを判別し（Ｓ１０７）、越していない場合には（Ｓ１０７のＮｏ）Ｓ１０２に戻る（電動工具４の駆動は継続する）が、越した場合には（Ｓ１０７のＹｅｓ）出力ＦＥＴ２０６をオフする（Ｓ１０８）。これにより電動工具４の過熱を保護することができる。もしくは、ＬＤ端子の信号を出力させて、電動工具４の制御回路４０２によりＦＥＴ４０３をオフさせて、電動工具４を保護することも可能である。また、使用者にわかるように、保護により出力を停止したことを示す信号を表示出力させてもよい。
【００３５】
一方、負荷電流ｉが所定値Ｉ0より小さい場合には、電流が小さいので発熱は少ないと考えられる。その場合には（Ｓ１０５のＮｏ）、電流積算量Ｃの現在値に所定値（例えば｜ｉ−Ｉ0｜×Δｔ）を減算する（Ｓ１０９）。これは放熱による冷却を考慮したものである。そして、マイコン２０２は、電流積算量Ｃが所定値Ｃ2（通電再開閾値）より小さくなったかどうかを判別する（Ｓ１１０）。ここで、所定値Ｃ2（通電再開閾値）は所定値Ｃ1（通電停止閾値）より小さい値とする。電流積算量Ｃが所定値Ｃ2より小さくない場合すなわち大きい場合には（Ｓ１１０のＮｏ）Ｓ１０２に戻るが、小さい場合には（Ｓ１１０のＹｅｓ）出力ＦＥＴ２０６をオンする（Ｓ１１１）。なお、Ｓ１１１における出力ＦＥＴ２０６のオンは、直前に出力ＦＥＴ２０６がオフであればオフからオンへの切替え（通電再開）であり、直前に出力ＦＥＴ２０６がオンであればオンの継続（通電維持）である。これにより、仮に電流積算量Ｃが所定値Ｃ1を超えて出力ＦＥＴ２０６がオフした場合（Ｓ１０８）においても、時間がたつと電動工具４の放熱とともに電流積算量Ｃが減算されて、自動的に出力ＦＥＴ２０６が再度オンされて電動工具４が使用可能な状態に戻る。
【００３６】
次に、バッテリユニット１の仕様について説明する。まず、定格電圧は一般的なコードレス電動工具の定格電圧である１４.４以上３６Ｖ以下が望ましい。これより小さいとインバータ機器の昇圧回路の効率が低下し、エネルギーを無駄にしてしまう。一方、これより高いと感電防止の端子構造や保護が必要となりコストが上昇してしまう。そして、インバータ機器の連続使用の場合には容量は大きいにこしたことはないが、交流電気機器では平均では１００Ｗ程度のものが多い（例えばライト：６０Ｗ、石油ファンヒータ：９０Ｗ、小型液晶テレビ：１００Ｗ）ので、これらの機器を１０時間（一晩）駆動できることが望ましいので、バッテリユニット１は１０００Ｗｈ以上の電池容量が望ましいということになる。そして、可搬性としては、軽いに越したことはないが、電池重量を５ｋｇ以上２５ｋｇ以下とすることにより、可搬性を維持できる。
【００３７】
本実施の形態によれば、下記の効果を奏することができる。
【００３８】
(1) 直流で動作するコードレス電動工具などの直流入力の電気機器を使用する場合には、電流積算量Ｃに基づく上記の通電制御を実行するため、電気機器の時間定格に応じて通電を制限することができ、モータ焼損などの故障を防止することができる。一方、インバータ機器を接続した場合（交流入力の電気機器を使用する場合）など連続駆動可能な電気機器の場合には、電流積算量Ｃに基づく通電制御を無効とするため上記のとおりバッテリユニット１の容量が無くなるまで連続出力を可能にすることでき、利便性が確保される。
【００３９】
(2) Ｖ端子電圧（識別信号）の有無により接続した電気機器をマイコン２０２が自動的に判別するので利便性が高い。
【００４０】
(3) バッテリユニット１に使用されるリチウム電池組は１４.４Ｖ以上３６Ｖ以下であることにより、一般的なコードレス電動工具に使用可能となる。また、電池容量は１ｋＷｈ以上にすることにより連続使用時間を確保でき、電池重量は５ｋｇ以上２５ｋｇ以下とすることにより可搬性を維持できる。
【００４１】
図４は、本発明の実施の形態２に係る電源装置に電動工具４を接続したブロック図である。この電源装置は、図１等に示す実施の形態１のものと異なり、電流積算量に基づく通電制御の有効、無効を使用者が手動で切り替えるための切替スイッチ２０８が電池アダプタ２に設けられている。使用者は、例えば、切替スイッチ２０８をオンすることで電流積算量Ｃに基づく通電制御を有効とし、オフすることで前記通電制御を無効とすることができる。また、実施の形態１ではＶ端子電圧の有無により接続機器を識別したが、本実施の形態ではＶ端子電圧の大きさ（レベル）により接続機器を識別する。すなわち、電池アダプタ２は定電圧端子（電圧Ｖcc）とＶ端子との間に直列接続された抵抗２１１,２１２を備え、電動工具４は自身の種別に応じて抵抗値が異なる識別抵抗４０５を備え、電動工具４を電池アダプタ２に接続すると抵抗２１１,２１２と識別抵抗４０５との直列接続が形成され、抵抗２１１,２１２の相互接続点の電圧がマイコン２０２にＶ端子電圧（識別信号）として入力される。
【００４２】
識別抵抗４０５の抵抗値は、例えば、重負荷用の電動工具では大きく、軽負荷用の電動工具では小さくする。すると、マイコン２０２に入力されるＶ端子電圧のレベルは、インバータ機器３の接続時はＶccで最も高く、重負荷用の電動工具の場合はその次に高く、軽負荷用の電動工具では最も低くなる。なお、マイコン２０２に入力されるＶ端子電圧のレベルは上記の３種類に限らず任意に設定可能である。
【００４３】
図５は、実施の形態２に係る電源装置の動作を示すフローチャートである。このフローチャートが図３と異なるのは、Ｖ端子電圧の判断（Ｓ１０２Ａ）と、通電停止閾値Ｃ1及び通電再開閾値Ｃ2の設定（Ｓ１０２Ｂ）である。すなわち、マイコン２０２は、Ｖ端子電圧がＶccであれば（Ｓ１０２ＡのＹｅｓ）、電流積算値に基づく通電制御を無効とする（Ｓ１０３）。これは電池アダプタ２にインバータ機器３が接続されている場合である。一方、マイコン２０２は、Ｖ端子電圧がＶccでなければ（Ｓ１０２ＡのＮｏ）、Ｖ端子電圧（識別信号）のレベルに応じて通電停止閾値Ｃ1及び通電再開閾値Ｃ2を設定する（Ｓ１０２Ｂ）。ここで、通電停止閾値Ｃ1は、Ｖ端子電圧のレベルが高いときは大きくし、低いときは小さくする。すなわち、重負荷用の電動工具の場合には通電停止閾値Ｃ1を大きくし（緩い条件とし）、軽負荷用の電動工具の場合には通電停止閾値Ｃ1を小さくする（厳しい条件とする）。
【００４４】
本実施の形態のその他の点は、実施の形態１と同様である。
【００４５】
本実施の形態によれば、実施の形態１の効果に加え、電動工具の種別に応じて許容する負荷電流積算値を切り替えることで、電動工具の種別に合わせた通電制御（連続使用からの保護）を実現可能である。また、電流積算量に基づく通電制御の有効、無効を使用者が手動で切り替えることも可能なため利便性が高い。
【００４６】
図６は、本発明の実施の形態３に係る電源装置に電動工具４を接続したブロック図である。この電源装置は、図４に示す実施の形態２のものと比較して、電池アダプタ２の機能がバッテリユニット１に一体的に設けられている点で相違し、その他の点で一致する。
【００４７】
図７は、本発明の実施の形態４に係る電源装置に電動工具４を接続したブロック図である。この電源装置は、図４に示す実施の形態２のものと比較して、定電圧端子（電圧Ｖcc）とマイナス入力端子との間に抵抗２１３とサーミスタ２１４が直列接続され、サーミスタ２１４が電流検出抵抗２０３の近傍に配置され、抵抗２１３とサーミスタ２１４の相互接続点の電圧がマイコン２０２に入力されている点で相違し、その他の点で一致する。サーミスタ２１４の抵抗値は電流検出抵抗２０３の温度に応じて変化し、電流検出抵抗２０３の温度は負荷電流の積算値に応じて変化する。すなわち、本実施の形態では、負荷電流の積算値関連情報として電流積算量Ｃに替えて電流検出抵抗２０３の温度情報（抵抗２１３とサーミスタ２１４の相互接続点の電圧から特定される温度Ｔ）を用いている。この温度情報に通電停止閾値Ｔ1及び通電再開閾値Ｔ2を設定することで、実施の形態４と同様の通電制御を実行可能である。なお、電流積算量Ｃと温度Ｔの双方を監視して通電制御を実行してもよい。
【００４８】
以上、実施の形態を例に本発明を説明したが、実施の形態の各構成要素や各処理プロセスには請求項に記載の範囲で種々の変形が可能であることは当業者に理解されるところである。以下、変形例について触れる。
【００４９】
実施の形態ではインバータ機器３の接続時は積算値関連情報に基づく通電制御を無効としたが、直流入力の電気機器を接続した場合と比較して緩い条件でインバータ機器３の接続時に積算値関連情報に基づく通電制御を実行してもよい。この場合も、直流入力の電気機器を接続した場合と同条件で積算値関連情報に基づく通電制御を行う場合と比較してインバータ機器３（ひいては交流入力の電気機器）の連続使用可能時間を長く確保することができる。また、電流積算量Ｃ又は温度Ｔの通電停止閾値（Ｃ1又はＴ1）を十分に大きくすることで、インバータ機器３の接続時に積算値関連情報に基づく通電制御を実質的に無効にしてもよい。
【００５０】
実施の形態では積算値関連情報が所定の条件を満たしたときに電源装置からの通電を停止したが、通電の停止に替えて又はそれに加えて、音声や光により電源装置から外部に警告する構成としてもよい。
【００５１】
実施の形態では積算値関連情報に基づく制御を実行したが、これに替えて又は加えて、例えばタイマーによって使用時間を計測して制御してもよい。タイマーで計測した使用時間は電気機器の使用状態情報の例示である。この場合の制御を図８に示す。Ｖ端子の電圧を検出しなかった場合（Ｓ１０２のＹｅｓ）、マイコン２０２は、タイマーを開始し（Ｓ１０４Ｃ）、所定時間Ｔａが経過したら（Ｓ１０５ＣのＹｅｓ）電流を下げ（Ｓ１０６Ｃ）、更に所定時間が経過して経過時間が合計Ｔｂを超えたら（Ｓ１０７ＣのＹｅｓ）出力ＦＥＴ２０６をオフする（Ｓ１０８）。これにより、長時間使用によるモータ等の発熱を抑制できる。また、電気機器のモータ温度等を検出し、モータ温度が所定温度を超えたら電流を下げるなど、タイマーとモータ温度の両方に基づいて制御することもできる。
【符号の説明】
【００５２】
１  バッテリユニット、１０１  電池セル、
２  電池アダプタ、２０１  電源回路、２０２  マイコン、２０３  電流検出抵抗、２０４  増幅器、２０５  入力制御ＦＥＴ、２０６  出力ＦＥＴ、
インバータ機器３、３０１  電源回路、３０２  制御回路、３０３  昇圧回路、３０４  インバータ回路、
４  電動工具、４０２  制御回路、４０４  トリガスイッチ、４０５  識別抵抗
【図１】
2014023271.tif 000003
【図２】
2014023271.tif 000004
【図３】
2014023271.tif 000005
【図４】
2014023271.tif 000006
【図５】
2014023271.tif 000007
【図６】
2014023271.tif 000008
【図７】
2014023271.tif 000009
【図８】
2014023271.tif 000010